【手続補正書】
【提出日】平成18年12月20日(2006.12.20)
【手続補正１】
【補正対象書類名】明細書
【補正対象項目名】特許請求の範囲
【補正方法】変更
【補正の内容】
【特許請求の範囲】
【請求項１】  (a)被験者の外側に配置された基端部及び被験者に吹送気体流を供給し、被験者の気道に配置できる末端部を有する吹送カテーテルと、
(b)吹送カテーテルの末端部に配置される通気口組立体とを備え、
(1)通気口組立体は、被験者のほぼ呼吸器系統に向かう第１の方向に吹送カテーテルからの吹送気体流の第１の部分を導く第１の気体流案内手段と、
(2)被験者の気道内のほぼ呼吸器系統の外に向かう第２の方向に吹送気体流の第２の部分を導く第２の気体流案内手段とを備え、第１の気体流案内手段及び第２の気体流案内手段は、吹送カテーテルへ放出された吹送気体流に応じて、吹送気体流の第１の部分及び第２の部分を同時に第１の方向及び第２の方向へそれぞれ導くことを特徴とする気管内気体吹送装置。
【請求項２】  第１の気体流案内手段は、吹送カテーテルの末先端部に形成され、ほぼ第１の方向に吹送気体流の第１の部分を導くポートであり、
第２の気体流通気手段は、末先端部の直近の吹送カテーテルの壁に形成されたポートである請求項１に記載の気管内気体吹送装置。
【請求項３】  通気口組立体は、第１の方向及び第２の方向に対しほぼ垂直な実質的に横方向に吹送気体流の第３の部分を導く第３の気体流案内手段(156,217)を備え、横方向に向かう吹送気体流の一部は、被験者の呼吸器系統の内側とも外側とも異なる方向の被験者の通気孔内へ導かれる請求項１に記載の気管内気体吹送装置。
【請求項４】  第１の気体流案内手段及び第２の気体流案内手段の大きさ、形状及び配置を調整し、通気口組立体から被験者の気道に吹送気体流を放出して発生する全方向の正味のベクトル力が実質的にゼロとなる請求項１に記載の気管内気体吹送装置。
【請求項５】  被験者の気道に配置されかつ被験者に呼吸気体の主要な流れを供給する第１の管内の固定位置に吹送カテーテルを保持する位置決め手段(108)を有する請求項１に記載の気管内気体吹送装置。
【請求項６】  吹送カテーテルは、被験者に呼吸気体の主要な流れを供給する第１の管(190)の壁内に形成され、第１の気体流案内手段及び第２の気体流案内手段は第１の管の壁内又は端部に設けられる請求項１に記載の気管内気体吹送装置。
【請求項７】  被験者の気道に吹送気体流を供給する搬送手段と、
被験者のほぼ呼吸器系統に向かう第１の方向及び被験者の呼吸器系統外に向かう第２の方向に搬送手段から吹送気体流を導く通気手段とを備え、
被験者の内部で第１の方向及び第２の方向の吹送気体流の放出により生じる正味の全ベクトル力成分が実質的にゼロとなることを特徴とする気管内気体吹送装置。
【請求項８】  搬送手段は、吹送カテーテルであり、通気手段は、吹送カテーテルの端部に作動接続される双方向通気口であり、
通気手段は、ほぼ第１の方向に吹送カテーテルから吹送気体流の第１の部分を導く第１の手段と、
ほぼ第２の方向に吹送カテーテルから吹送気体流の第２の部分を導く第２の手段とを有し、
第１の手段からの吹送気体の放出による第１のベクトル力は、第２の手段からの吹送気体の放出による第２のベクトル力で実質的に打ち消される請求項７に記載の気管内気体吹送装置。
【請求項９】  搬送手段は、吹送カテーテルであり、通気手段は、ほぼ第１の方向に吹送カテーテルの末端部から吹送気体流の第１の部分を放出する第１の手段と、
ほぼ第２の方向に吹送気体流の第２の部分を放出する吹送カテーテルの壁に形成された第２の手段とを備え、
第１の手段から第１の方向に向かう気体の放出によるベクトル力は、第１の方向と反対の第２の方向に向かう吹送気体の放出によるベクトル力成分によって打ち消される請求項７に記載の気管内気体吹送装置。
【請求項１０】  搬送手段は、吹送カテーテルであり、通気手段は、第１の方向及び第２の方向に対してほぼ垂直であり、被験者の内部で実質的に横方向に吹送カテーテルから吹送気体流の一部も導き、横方向に向かう吹送気体流の一部は、被験者の呼吸器系統の内側にも外側にも導かれない請求項７に記載の気管内気体吹送装置。
【請求項１１】  通気手段は、搬送手段から吹送気体流を導き、搬送手段から被験者の気道に吹送気体流を放出して生じる全方向の正味のベクトル力が実質的ゼロとなる請求項７に記載の気管内気体吹送装置。
【請求項１２】  搬送手段は、それぞれ吹送気体流の一部を供給する第１の吹送カテーテル及び第２の吹送カテーテルを備え、通気手段は、ほぼ第１の方向に吹送気体流の第１の部分を導く第１の吹送カテーテルに接続された第１の通気口組立体と、ほぼ第２の方向に吹送気体流の第２の部分を導く第２の吹送カテーテルに接続された第２の通気口組立体とを備える請求項７に記載の気管内気体吹送装置。
【請求項１３】  被験者の気道に挿入できかつ被験者に呼吸気体の主要な流れを供給する第１の管と、
第１の管に接続されかつ第１の流量で被験者に吹送気体流を供給する吹送カテーテルと、
第１の管に作動接続されかつ第１の流量と実質的に同一の第２の流量で第１の管から周辺大気へ気体を排気する排気弁とを備え、
被験者に向かう呼吸気体の主要な流れに無関係に、被験者に向かう吹送気体流が供給されかつ周辺大気に排出気体が放出されることを特徴とする治療気体供給装置。
【請求項１４】  装置の動作中に、吹送気体流は、第１の流量で連続的に供給され、排気弁は、第２の流量で第１の管から周辺大気へ連続的に気体を排気し、排気弁は、第１の管内の圧力変動の範囲を超える第２の流量で気体を連続的に排気する請求項１３に記載の治療気体供給装置。
【請求項１５】  排気弁は、吹送気体流を被験者に供給する第１の流量に基づいて第２の流量を変化させる請求項１３に記載の治療気体供給装置。
【請求項１６】  第３の流量で呼吸気体を供給する気体供給源と、
気体供給源、吹送カテーテル及び第１の管に作動接続されるバイパス弁とを備え、
バイパス弁は、吹送気体流を被験者へ供給する吹送カテーテルに呼吸気体流の第１の部分を供給すると共に、第１の管に呼吸気体流の第２の部分を供給し、第１の管から周辺大気に送出される排出気体の第２の流量は、バイパス弁に供給される呼吸気体流の第３の流量と実質的に一致する請求項１３に記載の治療気体供給装置。
【請求項１７】  第１の管に接続されかつ第１の管の内部の可変圧力で呼吸気体の主要な流れを供給する気体流発生装置と、
吹送気体流を供給する吹送カテーテルに接続された気体供給源とを備える請求項１３に記載の治療気体供給装置。
【請求項１８】  吹送カテーテルは、第１の管の内部に形成される請求項１３に記載の治療気体供給装置。
【請求項１９】  吹送カテーテルの末端部に配置された通気口組立体を備え、
通気口組立体は、被験者のほぼ呼吸器系統に向かう第１の方向に吹送カテーテルから吹送気体流の第１の部分を導く第１のポートと、
被験者のほぼ呼吸器系統の外に向かう第２の方向に、吹送気体流の第２の部分を導く第２のポートとを備え、
第１のポート及び第２のポートからの吹送気体流の放出によるベクトル力を発生し、
通気口組立体により被験者の気道へ吹送気体流を放出して発生する第１の方向及び第２の方向に向かう正味の全ベクトル力成分が実質的にゼロとなる請求項１３に記載の治療気体供給装置。
【請求項２０】  吹送カテーテルの末先端部に形成された第１のポートは、ほぼ第１の方向に吹送気体流の第１の部分を導き、
末先端部にすぐ近くの吹送カテーテルの壁に形成された第２のポートは、ほぼ第２の方向に吹送気体流の第２の部分を導き、
第１のポートから第１の方向に向かう気体の放出によるベクトル力は、第２のポートからの吹送気体放出による第１の方向と反対の第２の方向のベクトル力成分により実質的に打ち消される請求項１９に記載の治療気体供給装置。
【請求項２１】  通気口組立体は、第１の方向及び第２の方向に対しほぼ垂直である実質的に横方向に、吹送気体流の一部を導く第３のポートを備え、横方向の吹送気体流の一部は、被験者の呼吸器系統の内側にも外側にも導かれない請求項１９に記載の治療気体供給装置。
【請求項２２】  通気口組立体により、通気口組立体から被験者の気道に吹送気体流を放出して発生する全方向の正味のベクトル力は、実質的にゼロである請求項１９に記載の治療気体供給装置。
【請求項２３】  被験者に呼吸気体の主要な流れを供給する手段と、
第１の流量で被験者に吹送気体流を供給する吹送手段と、
第１の流量と実質的に同一の第２の流量で装置から周辺大気へ気体を排気する排気手段とを備え、
被験者に呼吸気体の主要な流れに無関係に、被験者への吹送気体流及び周辺大気に向かう排出気体が放出されることを特徴とする治療気体供給装置。
【請求項２４】  吹送手段は、装置の稼動中に第１の流量で吹送気体流を連続的に送出し、排気弁は、第２の流量で第１の管から周辺大気へ連続的に気体を排出すると共に、呼吸気体の主要な流れを供給する手段の第１の管内の圧力変動範囲を超える第２の流量で気体を連続的に排気する請求項２３に記載の治療気体供給装置。
【請求項２５】  吹送手段は、被験者のほぼ外側に配置する基端部及び被験者の気道に配置できかつ被験者の吹送気体流を供給する末端部を有する吹送カテーテルと、
被験者のほぼ呼吸器系統内に向かう第１の方向及び被験者のほぼ呼吸器系統外に向かう第２の方向に吹送カテーテルの末端部から吹送気体流を導く通気手段とを備え、
第１の方向及び第２の方向に吹送気体流を放出して生じる第１の方向及び第２の方向の全ベクトル力成分が実質的にゼロとなる請求項２３に記載の治療気体供給装置。
【請求項２６】  吹送手段は、第１の吹送カテーテルと、
第２の吹送カテーテルと、
第１の吹送カテーテルに接続されかつ被験者のほぼ呼吸器系統に向かう第１の方向に吹送気体流の第１の部分を導く第１の通気口組立体と、
第２の吹送カテーテルに接続されかつ被験者のほぼ呼吸器系統の外に向かう第２の方向に吹送気体流の第２の部分を導く第２の通気口組立体とを備える請求項２３に記載の治療気体供給装置。
【請求項２７】  排気手段は、吹送気体流を被験者に供給する第１の流量に基づいて第２の流量を変化させる請求項２３に記載の治療気体供給装置。
【請求項２８】  呼吸気体の主要な流れを供給する手段は、被験者の気道に挿入できかつ被験者の気道に呼吸気体の主要な流れを供給する第１の管であり、吹送手段は、
第３の流量で呼吸気体を供給する気体供給源と、
気体供給源に作動接続された吹送カテーテルと、
気体供給源、吹送カテーテル及び第１の管に作動接続されたバイパス弁とを備え、
バイパス弁は、吹送気体流を被験者へ供給する吹送カテーテルに呼吸気体流の第１の部分を供給すると共に、第１の管に呼吸気体流の第２の部分を供給し、第１の管から周辺大気に向かう排出気体の第２の流量は、呼吸気体流がバイパス弁に供給される第３の流量に実質的に一致する請求項２３に記載の治療気体供給装置。
【請求項２９】  被験者の気道内に挿入できる被験者管を有する呼吸循環路の一部を形成して呼吸循環路に接続できる第１の管と、
被験者のほぼ外側で第１の管上に配置される基端部及び被験者の気道に配置できかつ被験者に吹送気体流を供給する末端部を有する吹送カテーテルと、
吹送カテーテルの末端部に配置される通気口組立体とを備え、
通気口組立体は、被験者のほぼ呼吸器系統に向かう第１の方向に、吹送カテーテルからの吹送気体流の第１の部分を導く第１のポートと、
被験者のほぼ呼吸器系統の外に向かう第２の方向に吹送気体流の第２の部分を導く第２のポートとを備え、
第１のポート及び第２のポートからの吹送気体流の放出によるベクトル力を発生し、
通気口組立体により被験者の気道へ吹送気体流を放出して生じる第１の方向及び第２の方向に向かう正味の全ベクトル力成分が実質的にゼロとなることを特徴とする人工呼吸器用吹送付属装置。
【請求項３０】  吹送カテーテルの末先端部の形成された第１のポートは、ほぼ第１の方向に吹送気体流の第１の部分を導き、
末先端部のすぐ近くの吹送カテーテルの壁に形成された第２のポートは、ほぼ第２の方向に吹送気体流の第２の部分を導き、
第１のポートから第１の方向に向かう気体の放出によるベクトル力は、第２のポートからの吹送気体の放出による第１の方向と反対の第２の方向のベクトル力成分により実質的に打ち消される請求項２９に記載の吹送付属装置。
【請求項３１】  通気口組立体は、第１の方向及び第２の方向に対しほぼ垂直である実質的に横方向に吹送気体流の一部を導く少なくとも１のポートを備え、横方向吹送への気体流の一部は、被験者の呼吸器系統の内側にも外側にも導かれない請求項２９に記載の吹送付属装置。
【請求項３２】  通気口組立体により、通気口組立体から被験者の気道に吹送気体流を放出して生じる全方向の正味のベクトル力が実質的にゼロとなる請求項２９に記載の吹送付属装置。
【請求項３３】  被験者の気道内に挿入できる被験者管を有する呼吸循環路の一部を形成して呼吸循環路に接続できる第１の管と、
第１の管に接続されかつ被験者に吹送気体流を供給する搬送手段と、
搬送手段から吹送気体流を導く通気手段とを備え、
通気手段により被験者の気道に吹送気体流を放出して生じる被験者のほぼ呼吸器系統内に向かう第１の方向及び被験者のほぼ呼吸器系統外に向かう第２の方向の正味の全ベクトル力成分が実質的にゼロとなることを特徴とする人工呼吸器用吹送付属装置。
【請求項３４】  被験者の気道内に挿入できる被験者管を有する呼吸循環路の一部を形成して呼吸循環路に接続できる第１の管と、
被験者のほぼ外側で第１の管上に配置される基端部及び被験者の気道に配置できかつ被験者に吹送気体流を供給する末端部を有する吹送カテーテルと、
第１の管に作動接続されかつ第１の流量と実質的に同一の第２の流量で第１の管から周辺大気へ気体を排気する排気弁とを備え、
被験者に向かう呼吸気体の主要な流れに無関係に、被験者に向かう吹送気体流が供給され、周辺大気に向かう排出気体が放出されることを特徴とする呼吸装置の吹送付属装置。
【請求項３５】  吹送気体流は、装置動作中に第１の流量で連続的に供給され、排気弁は、第２の流量で第１の管から周辺大気へ連続的に気体を排気すると共に、第１の管内の圧力変動の範囲を超える第２の流量で気体を連続的に排気する請求項３４に記載の吹送付属装置。
【請求項３６】  排気弁は、吹送気体流を被験者に供給する第１の流量に基づき第２の流量を変化させる請求項３４に記載の呼吸装置。
【請求項３７】  吹送カテーテルの末端部に配置された通気口組立体を備え、
通気口組立体は、被験者のほぼ呼吸器系統に向かう第１の方向に吹送カテーテルから吹送気体流の第１の部分を導く第１のポートと、
被験者のほぼ呼吸器系統の外に向かう第２の方向に吹送気体流の第２の部分を導く第２のポートとを備え、
第１のポート及び第２のポートからの吹送気体流の放出によるベクトル力を発生し、
通気口組立体により被験者の気道へ吹送気体流を放出して生じる第１の方向及び第２の方向に向かう正味の全ベクトル力成分が実質的にゼロとなる請求項３４に記載の呼吸装置。
【請求項３８】  被験者の気道内に挿入できる被験者管を有する呼吸循環路の一部を形成して呼吸循環路に接続できる第１の管と、
第１の管に接続されかつ第１の流量で被験者へ吹送気体流を供給する吹送手段と、
第１の流量と実質的に同一の第２の流量で装置から周辺大気へ気体を排気する排気手段とを備え、
被験者に呼吸気体の主要な流れに無関係に、被験者に向かう吹送気体流を供給すると共に、周辺大気に向かう排出気体を放出することを特徴とする人工呼吸器用吹送付属装置。
【請求項３９】  吹送手段は、装置動作中に第１の流量で吹送気体流を連続的に供給し、排気弁は、第２の流量で第１の管から周辺大気へ連続的に気体を排気すると共に、第１の管内の圧力変動範囲を超える第２の流量で気体を連続的に排気する請求項３８に記載の吹送付属装置。
【請求項４０】  吹送手段は、被験者のほぼ外側に配置される基端部及び被験者の気道に配置されかつ吹送気体流を供給する末端部を有する吹送カテーテルと、
被験者のほぼ呼吸器系統内に向かう第１の方向及び被験者のほぼ呼吸器系統外に向かう第２の方向に、吹送カテーテルの末端部から吹送気体流を導く通気手段とを備え、
通気手段により第１の方向及び第２の方向に吹送気体流を放出して生じる第１の方向及び第２の方向の全ベクトル力成分が実質的にゼロとなる請求項３８に記載の吹送付属装置。
【請求項４１】  吹送手段は、第１の吹送カテーテルと、
第２の吹送カテーテルと、
被験者のほぼ呼吸器系統に向かう第１の方向に吹送気体流の第１の部分を導く第１の吹送カテーテルと接続された第１の通気口組立体と、
被験者のほぼ呼吸器系統外の第２の方向に吹送気体流の第２の部分を導く第２の吹送カテーテルに接続された第２の通気口組立体とを備える請求項３８に記載の吹送付属装置。
【請求項４２】  排気手段は、吹送気体流を被験者に供給する第１の流量に基づき第２の流量を変化させる請求項３８に記載の吹送付属装置。
【請求項４３】  吹送手段は、第３の流量で呼吸気体流を供給する気体供給源と、
気体供給源に作動接続される吹送カテーテルと、
気体供給源、吹送カテーテル及び呼吸循環路に作動接続されるバイパス弁とを備え、
バイパス弁は、吹送気体流を被験者へ供給する吹送カテーテルに呼吸気体流の第１の部分を供給すると共に、第１の管に呼吸気体流の第２の部分を供給し、呼吸循環路からの排出気体の第２の流量は、呼吸気体流がバイパス弁に供給される第３の流量と実質的に一致する請求項３８に記載の吹送付属装置。